(57)【特許請求の範囲】
【請求項１】
記憶媒体に情報を記録する情報記録装置であって、
バッテリーを接続する接続部と、
前記記憶媒体に記録された情報に対して所定の処理がされたことを履歴情報として記録する履歴情報記録手段と、
前記履歴情報を確認する履歴情報確認手段と、
当該情報記録装置に対して電力を供給する電源の接続状態を検出する電源検出手段と、
前記記憶媒体に記録された情報において前記所定の処理がされた情報があることを通知する通知手段と、
前記電源検出手段が前記電源の接続の解除を検出した場合に、前記接続部に接続されたバッテリーからの電力に切り替えて、前記履歴情報確認手段により前記履歴情報を確認し、確認の結果、前記記憶媒体に記録された情報において前記所定の処理がされた情報がある場合に前記通知手段により通知を行う制御手段とを備えたことを特徴とする情報記録装置。
【請求項２】
前記制御手段は、当該情報記録装置に接続して外部から電力を供給する電源の接続の解除を前記電源検出手段が検出した際に前記履歴情報確認手段により前記履歴情報を確認し、確認の結果、前記記憶媒体に記録された情報において前記所定の処理がされた情報がある場合に前記通知手段により通知を行うことを特徴とする請求項１に記載の情報記録装置。
【請求項３】
記憶媒体に情報を記録する情報記録装置であって、
前記記憶媒体に記録された情報に対して所定の処理がされたことを履歴情報として記録する履歴情報記録手段と、
前記履歴情報を確認する履歴情報確認手段と、
当該情報記録装置と外部機器との接続状態を検出する外部機器接続検出手段と、
前記記憶媒体に記録された情報において前記所定の処理がされた情報があることを通知する通知手段と、
前記外部機器接続検出手段が外部機器の接続の解除を検出した際に前記履歴情報確認手段により前記履歴情報を確認し、確認の結果、前記記憶媒体に記録された情報において前記所定の処理がされた情報がある場合に前記通知手段により通知を行う制御手段とを備えたことを特徴とする情報記録装置。
【請求項４】
前記記憶媒体に記録された情報を外部機器へ出力する通信手段を備え、
前記通信手段による前記記憶媒体に記録された情報の出力は前記所定の処理に含まれることを特徴とする請求項１〜３のいずれか１項に記載の情報記録装置。
【請求項５】
前記通知手段は、前記履歴情報に基き、前記記憶媒体に記録された情報において前記通信手段により出力された情報があることを通知することを特徴とする請求項４に記載の情報記録装置。
【請求項６】
前記通知手段は通知とともに、前記通信手段により出力された情報を消去するためのユーザインタフェースを起動することを特徴とする請求項５に記載の情報記録装置。
【請求項７】
前記ユーザインタフェースにおいて、前記通信手段により出力された情報を一括消去することが可能であることを特徴とする請求項６に記載の情報記録装置。
【請求項８】
前記ユーザインタフェースにおいて、前記通信手段により出力された情報を一覧表示し、該一覧表示から選択的に情報を消去することが可能であることを特徴とする請求項６に記載の情報記録装置。
【請求項９】
前記ユーザインタフェースにおいて、前記通信手段により出力された情報を消去した場合の前記記憶媒体の記憶容量を通知することを特徴とする請求項６〜８のいずれか１項に記載の情報記録装置。
【請求項１０】
前記通知手段による通知を行うか否かを選択できるようにしたことを特徴とする請求項１〜９のいずれか１項に記載の情報記録装置。
【請求項１１】
画像を撮像する撮像手段を備えた撮像装置であって、
請求項１〜１０のいずれか１項に記載の情報記録装置を備え、該情報記録装置により前記撮像手段で撮像した画像の画像データを記録することを特徴とする撮像装置。
【請求項１２】
バッテリーを接続する接続部を備え、
記憶媒体に情報を記録するとともに、前記記憶媒体に記録された情報に対して所定の処理がされたことを履歴情報として記録する情報記録装置の制御方法であって、
当該情報記録装置に対して電力を供給する電源の接続状態を検出する電源検出ステップと、
前記電源検出ステップで前記電源の接続の解除を検出した場合に、前記接続部に接続されたバッテリーからの電力に切り替えて、前記履歴情報を確認する履歴情報確認ステップと、
前記履歴情報確認ステップで前記履歴情報を確認した結果、前記記憶媒体に記録された情報において前記所定の処理がされた情報がある場合に、その旨を通知する通知ステップとを有することを特徴とする情報記録装置の制御方法。
【請求項１３】
記憶媒体に情報を記録するとともに、前記記憶媒体に記録された情報に対して所定の処理がされたことを履歴情報として記録する情報記録装置の制御方法であって、
当該情報記録装置と外部機器との接続状態を検出する外部機器接続検出ステップと、
前記外部機器接続検出ステップで外部機器の接続の解除を検出した際に、前記履歴情報を確認する履歴情報確認ステップと、
前記履歴情報確認ステップで前記履歴情報を確認した結果、前記記憶媒体に記録された情報において前記所定の処理がされた情報がある場合に、その旨を通知する通知ステップとを有することを特徴とする情報記録装置の制御方法。
【請求項１４】
バッテリーを接続する接続部を備え、
記憶媒体に情報を記録するとともに、前記記憶媒体に記録された情報に対して所定の処理がされたことを履歴情報として記録する情報記録装置の制御をコンピュータに実行させるためのプログラムであって、
当該情報記録装置に対して電力を供給する電源の接続状態を検出する電源検出ステップと、
前記電源検出ステップで前記電源の接続の解除を検出した場合に、前記接続部に接続されたバッテリーからの電力に切り替えて、前記履歴情報を確認する履歴情報確認ステップと、
前記履歴情報確認ステップで前記履歴情報を確認した結果、前記記憶媒体に記録された情報において前記所定の処理がされた情報がある場合に、その旨を通知する通知ステップとをコンピュータに実行させるためのプログラム。
【請求項１５】
記憶媒体に情報を記録するとともに、前記記憶媒体に記録された情報に対して所定の処理がされたことを履歴情報として記録する情報記録装置の制御をコンピュータに実行させるためのプログラムであって、
当該情報記録装置と外部機器との接続状態を検出する外部機器接続検出ステップと、
前記外部機器接続検出ステップで外部機器の接続の解除を検出した際に、前記履歴情報を確認する履歴情報確認ステップと、
前記履歴情報確認ステップで前記履歴情報を確認した結果、前記記憶媒体に記録された情報において前記所定の処理がされた情報がある場合に、その旨を通知する通知ステップとをコンピュータに実行させるためのプログラム。
【発明の詳細な説明】
【技術分野】
【０００１】
本発明は、ランダムアクセスが可能な記憶媒体に映像等のデータを記録する情報記録装置、その制御方法及びプログラム並びに撮像装置に関するものである。
【背景技術】
【０００２】
デジタルビデオカメラの中には、磁気テープや光学ディスク等の記憶媒体へ、保存用のデータを直接記録できるものが存在する。しかし、多くのデジタルビデオカメラやデジタルカメラは、記憶容量、アクセススピード、対ショック等の観点から、一時的な記憶媒体として、ランダムアクセスが可能なＨＤＤ（ハードディスク）、フラッシュメモリ、メモリカード等を用いている。
【０００３】
このような一時的な記憶媒体を用いる場合、該記憶媒体から外部の記憶媒体へ画像を移動させる、いわゆるバックアップ作業を行い、バックアップ済みの画像を消去する消去作業を実行しなければならない。なぜなら、これらの作業を怠ると、一時的な記憶媒体の空き領域が無くなり撮影を続行できなくなってしまう事態や、記憶媒体の空き容量確保のために消去作業をせざるを得ない事態が発生する可能性があるからである。消去作業をせざるを得ない状況においては、外出先でバッテリーを不用に消耗させたり、記録しておきたい画像を消去しなければならなかったりする事態も起こり得る。
【０００４】
外部の記憶媒体へのバックアップ作業や消去作業に関連する技術としては、例えば以下に示すような技術が開示されている。
特許文献１には、バックアップ作業が行なわれていない画像がある場合にユーザにその画像のバックアップを促すメッセージを出力する発明が開示されている。
また特許文献２には、バックアップ作業中に作業が中断されないように注意を促す発明が開示されている。
また特許文献３には、転送済みの画像を順次、自動的に消去する発明が開示されている。
【０００５】
【特許文献１】特開２００５−５１６８２号公報
【特許文献２】特開２００４−２１６６９号公報
【特許文献３】特開２００４−２２８９９１号公報
【発明の開示】
【発明が解決しようとする課題】
【０００６】
特許文献１に記載の発明はバックアップされていない画像のバックアップを促すためのものであり、特許文献２に記載の発明はバックアップ作業を確実に実行するためのものである。つまり、これらはバックアップ済みの画像を消去するものではない。また特許文献１、２に記載のいずれの発明も、実際撮影を開始するために電源を投入するまで、記憶媒体の記録可能な容量を確認する機会は与えられない。
そのためこれらの発明においては、消去作業を怠ったり電源を投入して初めて消去作業の必要性に気づかされたりして、記憶媒体の空き領域が無くなり撮影ができない事態や記憶媒体の容量確保のために消去作業をせざるを得ない事態になり得るという問題があった。
更に特許文献２に記載の発明では、全てのバックアップ作業が完了するまで接続を解除できないため、急な撮影機会を逃してしまうという問題があり使用性に優れたものとは言い難い。
【０００７】
また特許文献３に記載の発明は転送済みの画像を自動的に消去するものであるが、未転送又は転送済みの画像が存在するかどうかわからず、また消去したくない画像も自動的に消去されてしまうという問題があり使用性に優れたものとは言い難い。記録された画像の消去作業に際しては、ユーザが任意に消去するか否か又はどの画像を消去するか否かを決定できることが好ましい。
また特許文献３に記載の発明においても、実際撮影を開始するために電源を投入するまで、記憶媒体の記録可能な容量を確認する機会は与えられない。そのため、転送済みの画像は自動的に消去されるものの、ユーザは電源を投入して初めて所望の空き容量がなく消去作業の必要性に気づかされることが起こり得る。従って、特許文献３に記載の発明では、記憶媒体の空き領域が無くなり撮影続行ができなくなってしまう事態や、記憶媒体の空き容量確保のために消去作業をせざるを得ない事態を十分に回避できるものとは言い難い。
【０００８】
そこで本発明は、例えば撮像装置において適切にバックアップ済みの画像を消去する機会を与え、記憶媒体に空き容量がなく撮影を継続できない事態や記憶媒体の空き容量確保のために画像の消去作業をせざるを得ない事態を回避する情報記録装置等を提供する。
【課題を解決するための手段】
【０００９】
本発明の情報記録装置は、記憶媒体に情報を記録する情報記録装置であって、バッテリーを接続する接続部と、前記記憶媒体に記録された情報に対して所定の処理がされたことを履歴情報として記録する履歴情報記録手段と、前記履歴情報を確認する履歴情報確認手段と、当該情報記録装置に対して電力を供給する電源の接続状態を検出する電源検出手段と、前記記憶媒体に記録された情報において前記所定の処理がされた情報があることを通知する通知手段と、前記電源検出手段が前記電源の接続の解除を検出した場合に、前記接続部に接続されたバッテリーからの電力に切り替えて、前記履歴情報確認手段により前記履歴情報を確認し、確認の結果、前記記憶媒体に記録された情報において前記所定の処理がされた情報がある場合に前記通知手段により通知を行う制御手段とを備えたことを特徴とする。
また、本発明の情報記録装置は、記憶媒体に情報を記録する情報記録装置であって、前記記憶媒体に記録された情報に対して所定の処理がされたことを履歴情報として記録する履歴情報記録手段と、前記履歴情報を確認する履歴情報確認手段と、当該情報記録装置と外部機器との接続状態を検出する外部機器接続検出手段と、前記記憶媒体に記録された情報において前記所定の処理がされた情報があることを通知する通知手段と、前記外部機器接続検出手段が外部機器の接続の解除を検出した際に前記履歴情報確認手段により前記履歴情報を確認し、確認の結果、前記記憶媒体に記録された情報において前記所定の処理がされた情報がある場合に前記通知手段により通知を行う制御手段とを備えたことを特徴とする。
また、本発明の撮像装置は、画像を撮像する撮像手段を備えた撮像装置であって、上記に記載の情報記録装置を備え、該情報記録装置により前記撮像手段で撮像した画像の画像データを記録することを特徴とする。
また、本発明の情報記録装置の制御方法は、バッテリーを接続する接続部を備え、記憶媒体に情報を記録するとともに、前記記憶媒体に記録された情報に対して所定の処理がされたことを履歴情報として記録する情報記録装置の制御方法であって、当該情報記録装置に対して電力を供給する電源の接続状態を検出する電源検出ステップと、前記電源検出ステップで前記電源の接続の解除を検出した場合に、前記接続部に接続されたバッテリーからの電力に切り替えて、前記履歴情報を確認する履歴情報確認ステップと、前記履歴情報確認ステップで前記履歴情報を確認した結果、前記記憶媒体に記録された情報において前記所定の処理がされた情報がある場合に、その旨を通知する通知ステップとを有することを特徴とする。
また、本発明の情報記録装置の制御方法は、記憶媒体に情報を記録するとともに、前記記憶媒体に記録された情報に対して所定の処理がされたことを履歴情報として記録する情報記録装置の制御方法であって、当該情報記録装置と外部機器との接続状態を検出する外部機器接続検出ステップと、前記外部機器接続検出ステップで外部機器の接続の解除を検出した際に、前記履歴情報を確認する履歴情報確認ステップと、前記履歴情報確認ステップで前記履歴情報を確認した結果、前記記憶媒体に記録された情報において前記所定の処理がされた情報がある場合に、その旨を通知する通知ステップとを有することを特徴とする。
また、本発明のプログラムは、バッテリーを接続する接続部を備え、記憶媒体に情報を記録するとともに、前記記憶媒体に記録された情報に対して所定の処理がされたことを履歴情報として記録する情報記録装置の制御をコンピュータに実行させるためのプログラムであって、当該情報記録装置に対して電力を供給する電源の接続状態を検出する電源検出ステップと、前記電源検出ステップで前記電源の接続の解除を検出した場合に、前記接続部に接続されたバッテリーからの電力に切り替えて、前記履歴情報を確認する履歴情報確認ステップと、前記履歴情報確認ステップで前記履歴情報を確認した結果、前記記憶媒体に記録された情報において前記所定の処理がされた情報がある場合に、その旨を通知する通知ステップとをコンピュータに実行させるためのプログラムである。
また、本発明のプログラムは、記憶媒体に情報を記録するとともに、前記記憶媒体に記録された情報に対して所定の処理がされたことを履歴情報として記録する情報記録装置の制御をコンピュータに実行させるためのプログラムであって、当該情報記録装置と外部機器との接続状態を検出する外部機器接続検出ステップと、前記外部機器接続検出ステップで外部機器の接続の解除を検出した際に、前記履歴情報を確認する履歴情報確認ステップと、前記履歴情報確認ステップで前記履歴情報を確認した結果、前記記憶媒体に記録された情報において前記所定の処理がされた情報がある場合に、その旨を通知する通知ステップとをコンピュータに実行させるためのプログラムである。
【発明の効果】
【００１０】
本発明によれば、例えば撮像装置による撮影中に記憶媒体の空き領域が無くなり撮影を継続できない事態を回避することができる。また記憶媒体の空き容量の確保のために記録された情報を消去せざるを得ない事態を回避することができる。
【発明を実施するための最良の形態】
【００１１】
以下、図面を参照して本発明の好適な実施の形態を説明する。
（第１の実施の形態）
図１に本発明の情報記録装置を備えた撮像装置であるデジタルカメラ１００（以下、カメラ１００と称す）のシステム構成を示す。カメラ１００はシステム全体を制御する制御手段であるシステムコントローラ１０１と各機能を処理するブロックから構成される。
【００１２】
図１に示されるブロックおいて、１０２は撮像部であり、光学系、該光学系を制御するためのモータ、撮像素子等から構成され、光学像を結像して光電変換する。１０３は画像音声処理部であり、撮像部１０２からの電気信号をデジタルデータに変換する。１０５はフラッシュメモリ等からなるランダムアクセスが可能な記憶媒体であり、画像音声処理部１０３からのデジタルデータを記録する。
【００１３】
１０８はＴＦＴ・ＬＣＤ等からなる表示部であり、撮像部１０２で撮像した映像等を表示する。１０９は電源回路であり、カメラ１００の動作に必要な電力をバッテリー１１０やＡＣアダプタ１１１からカメラ１００内部に供給する。１１２は電源接続検出部であり、バッテリー１１０とＡＣアダプタ１１１の装着状態を検出することができる。なお、電源接続検出部１１２は、本発明でいう電源検出手段の一構成例に対応する。
【００１４】
１１３はユーザ操作部であり、ユーザによるカメラ１００の各種操作を可能とする。１１４は音声出力部であり、カメラ１００内部の状態をユーザに知らせるための警告や映像再生時の音声を出力することができる。また警告やカメラ１００の内部の状態は表示部１０８にも表示することが可能である。なお、音声出力部１１４及び表示部１０８は、本発明でいう通知手段の一構成例に対応する。
【００１５】
１１５は外部との通信を行うための外部機器接続インタフェース１１５であり、本図においては外部機器１１６とカメラ１００とを通信ケーブル１１７を介して接続する。１１８は外部機器接続検出部であり、カメラ１００の外部機器１１６との接続状態を検出する。なお、外部機器接続検出部１１８は、本発明でいう外部機器接続検出手段の一構成例に対応する。
【００１６】
３００はクレイドルであり、ＡＣアダプタ１１１の接続端子、外部機器１１６の接続端子の接続を容易に行うために設置されている。
【００１７】
以上のようなカメラ１００を用いて映像を記録する際、まず撮像部１０２において光学系を通過した外光は撮像素子の面上に光学像を結像し、撮像素子により電気信号に変換される。該電気信号は画像音声処理部１０３によりデジタルデータに変換され、該デジタルデータは記憶媒体１０５に記録される。また記憶媒体１０５に記録されたデジタルデータを再生する際は、記憶媒体１０５から読み出されたデジタルデータが画像音声処理部１０３において表示に最適なデータに変換され、その後、表示部１０８に表示される。
【００１８】
また上述したようにカメラ１００には電源回路１０９が内蔵されている。この電源回路１０９は、カメラ１００を動作させるための電力を着脱可能なバッテリー１１０と商用電源を直流に変換するＡＣアダプタ１１１のどちらからでも供給できるようにする。そして電源回路１０９で生成された複数の電圧値の電力はシステム内のＩＣに供給される。さらに電源回路１０９は、内蔵する充電回路２０２を使用することによりバッテリー１１０の充電が可能である。なお、電源回路１０９の詳細については後述する。
【００１９】
またカメラ１００においては、記憶媒体１０５に記録されたデジタルデータを外部機器１１６へ送信した場合等に、後述するバックアップ履歴情報１０７に送信した旨等を記録しておく。このバックアップ履歴情報１０７の詳細については後述する。
【００２０】
次に電源回路１０９の詳細な構成及び動作を図２を用いて説明する。電源回路１０９は、各電源電圧を作り出す電源ＩＣ２０１、充電回路２０２を含み、先述の電源接続検出部１１２と接続する。バッテリー１１０は電源回路１０９内の接続部Ａ（Ｔ２０３）に接続（装着）されることで電力を供給し、ＡＣアダプタ１１１はクレイドル３００を介して電源回路１０９内の接続部Ｂ（Ｔ２０４）に接続されることで外部から電力を供給する。
【００２１】
電源接続検出部１１２は、各電源の接続状態を、電源回路１０９とバッテリー１１０及びＡＣアダプタ１１１を接続するバスの電圧状態に応じて検出する。バスに電圧印加されている場合（即ち、電源が接続した場合）は電圧状態がＨｉｇｈ、電圧印加されていない場合（即ち、電源の接続が解除している場合）は電圧状態がＬｏｗとなる。そして、電源接続検出部１１２のポートＡ（Ｔ２０５Ａ）、ポートＢ（Ｔ２０５Ｂ）に電圧状態に応じた信号が入力されることで電源接続検出部１１２は電源の接続状態を検出する。なお、ポートＡ（Ｔ２０５Ａ）に入力される信号に基づきバッテリー１１０の接続・解除が検出され、ポートＢ（Ｔ２０５Ｂ）に入力される信号に基づきＡＣアダプタ１１１の接続・解除が検出される。またユーザ操作部１１３に含まれる主電源スイッチ（ＳＷ２０６）は、電源接続検出部１１２のポートＣ（Ｔ２０５Ｃ）に接続されている。主電源スイッチ（ＳＷ２０６）はＯＮ時に電圧状態がＨｉｇｈとなり、ＯＦＦ時に電圧状態がＬｏｗとなる。これにより電源接続検出部１１２は主電源スイッチ（ＳＷ２０６）の状態を検出する。なお、主電源スイッチ（ＳＷ２０６）においては、ユーザからの操作に応じて記録モード、再生モード、停止モード等の切り替えを行うことができる。
【００２２】
電源接続検出部１１２はまた、上記ポートＡ〜Ｃの情報を判断して電源選択スイッチ（ＳＷ２０７）の切り替え制御を行う。ポートＡ〜Ｃの状態と電源選択スイッチ（ＳＷ２０７）により選択される端子との関係を図３に示す。図３において、主電源スイッチ（ＳＷ２０６）がＯＮの状態でバッテリー１１０が接続、ＡＣアダプタ１１１が未接続であった場合、カメラ１００はバッテリー駆動となり電源選択スイッチ（ＳＷ２０７）は端子Ａ（Ｔ２０８Ａ）に接続される。
また主電源スイッチ（ＳＷ２０６）がＯＮの状態でバッテリー１１０が未接続、ＡＣアダプタ１１１が接続されている場合、カメラ１００はＡＣアダプタ電源駆動となり電源選択スイッチ（ＳＷ２０７）は端子Ｂ（Ｔ２０８Ｂ）に接続される。
また主電源スイッチ（ＳＷ２０６）がＯＦＦの状態でバッテリー１１０が接続、ＡＣアダプタ１１１が接続されている場合、電源選択スイッチ（ＳＷ２０７）は中立の端子Ｃ（Ｔ２０８Ｃ）に接続される。この場合、ＡＣアダプタ１１１の電源によりバッテリー１１０の充電を行う充電モードとなる。
【００２３】
次にバッテリー１１０の充電が完了した状態におけるポートＡ〜Ｃの状態と電源選択スイッチ（ＳＷ２０７）により選択される端子との関係を図４に示す。図４において、主電源スイッチ（ＳＷ２０６）がＯＦＦの状態でバッテリー１１０が接続、ＡＣアダプタ１１１が未接続であった場合、電源選択スイッチ（ＳＷ２０７）は端子Ａ（Ｔ２０８Ａ）に接続される。
また主電源スイッチ（ＳＷ２０６）がＯＦＦの状態でバッテリー１１０が未接続、ＡＣアダプタ１１１が接続されている場合、電源選択スイッチ（ＳＷ２０７）は端子Ｂ（Ｔ２０８Ｂ）に接続される。
また、主電源スイッチ（ＳＷ２０６）がＯＦＦの状態でバッテリー１１０が接続、ＡＣアダプタ１１１が接続されている場合、電源選択スイッチ（ＳＷ２０７）は端子Ｂ（Ｔ２０８Ｂ）に接続される。
【００２４】
以上のように本実施の形態では、二以上の電源のいずれかから電力を供給するかを切り替えることが可能であるとともに、バスの電圧状態によって電源の接続状態を検出するようにしている。このような態様の他に、接続部Ａ（Ｔ２０３）、接続部Ｂ（Ｔ２０４）に機械的なスイッチを設けて、スイッチの状態によって電源の接続を検出する方法を採用しても構わない。
【００２５】
次に図５は、上述のバックアップ履歴情報１０７のフォーマットを説明するための図である。本実施の形態では、撮影後において記憶媒体１０５に記録する１個の画像ファイルを作成するタイミングで、システムコントローラ１０１が１つのバックアップ履歴情報１０７を作成し記憶媒体１０５に記録する。システムコントローラ１０１はまた、記憶媒体１０５に記録された画像ファイルが転送された等の所定の処理がされる度に、バックアップ履歴情報１０７を更新する。以下、バックアップ履歴情報１０７の詳細について説明する。なお。システムコントローラ１０１が作成し記録したバックアップ履歴情報１０７を所定の処理がされる度に更新する処理は、本発明でいう履歴情報記録手段の一処理例に対応する。
【００２６】
バックアップ履歴情報１０７は、図５に参照されるように画像ファイル名５０１、転送状態５０２、転送先パス５０３、及び転送日時５０４で構成されている。
【００２７】
画像ファイル名５０１は、撮影により作成された画像ファイルの名称を示すものである。
転送状態５０２は、画像ファイルの転送状態を示すものである。具体的には、画像ファイルが外部へ転送済みであるか未転送であるかを示すフラグ、ユーザが転送済みであるかどうかを確認したか否かを示すフラグ、消去不可能状態に保護したか否かを示すフラグで構成されている。
転送先パス５０３は、転送先の機器のアドレスを含む転送先を示すものである。データのバックアップ先である外部機器１１６は、パーソナルコンピュータ、ＨＤＤ（Ｈａｒｄ Ｄｉｓｋ Ｄｒｉｖｅ）レコーダ、ＮＡＳ（Ｎｅｔｗｏｒｋ Ａｔｔａｃｈｅｄ Ｓｔｏｒａｇｅ：ネットワーク接続ストレージ)等、様々な機器が考えられる。バックアップ先の機器により、カメラ１００の情報のバックアップ方法も様々な方式が考えられるが、バックアップ方法が本発明の論点ではないことから詳細な説明は省略する。
転送日時５０４は、カメラ１００が外部機器１１６に画像ファイルを転送した日時を示すものである。
これらの要素で構成されるバックアップ履歴情報１０７は、ユーザにより画像ファイル名が特定されたり、画像ファイルが転送されたり等の所定の処理がされる度にシステムコントローラ１０１により各要素が更新される。なお、本実施の形態では、転送状態５０２において、転送済みのフラグがある場合に画像ファイルはバックアップ済み（出力済み）と判断されるようにしている。また、バックアップ履歴情報１０７の作成は、カメラ１００が作成してもよいし、外部機器１１６が作成し、カメラ１００との通信機能により送信してカメラ１００が記録するようにしてもよく、何れの方法をとっても実現可能である。
【００２８】
次にバッテリー１１０の充電中もしくは充電終了後にＡＣアダプタ１１１が取り外されたタイミングでバックアップ済みのデータがあることをユーザに通知するカメラ１００の処理を説明する。
【００２９】
まず図６は、バッテリー１１０の充電中にＡＣアダプタ１１１が取り外された場合の処理シーケンスを説明するフローチャートである。
ステップＳ６０１において、システムコントローラ１０１は、充電開始後の充電状況を監視する。満充電であればステップＳ６０７において電源接続検出部１１２により電源選択スイッチ（ＳＷ２０７）を端子Ｃから端子Ｂに切り替えて充電を終了する。即ち、充電モードからＡＣアダプタ電源駆動に切り替える。
また充電が終了していなければステップＳ６０２において、システムコントローラ１０１は電源接続検出部１１２によりＡＣアダプタ１１１の装着状態（ポートＢの状態）をチェックする。
【００３０】
ステップＳ６０２において、ＡＣアダプタ１１１が装着されていれば充電状態チェック（ステップＳ６０１）に移行する。また装着されていなければ、ＡＣアダプタ１１１が取り外されたと判断して、システムコントローラ１０１は、ステップＳ６０３において電源接続検出部１１２により電源選択スイッチ（ＳＷ２０７）を端子Ｃから端子Ａに切り替える。即ち、バッテリー駆動に切り替える。このように本実施の形態では、電源接続検出部１１２の検出結果に応じて、電源選択スイッチ（ＳＷ２０７）を切り替えている。
【００３１】
次にステップＳ６０４、Ｓ６０５において、システムコントローラ１０１は、バックアップ履歴情報１０７の更新を確認する（本発明でいう履歴情報確認手段の一処理例に対応する）。ここでは、バックアップ履歴情報１０７を確認し、外部へ転送済みの画像ファイルがあるか否か、即ちバックアップ済みの画像ファイルがあるか否かを確認するものとする。そして確認した結果、バックアップ済みの画像ファイルがない場合は充電を終了する。またバックアップ済みの画像ファイルがある場合はステップＳ６０６においてバックアップ済みの画像ファイルがあることユーザに通知する。
【００３２】
次に図７は充電終了後にＡＣアダプタ１１１が取り外された場合の処理シーケンスを説明するフローチャートである。
まずステップＳ７０１において、システムコントローラ１０１は電源接続検出部１１２により、ＡＣアダプタ１１１の装着状態をチェックする。
装着されていればＡＣアダプタ１１１の装着状態を監視しつづけ、装着されていなければＡＣアダプタ１１１が取り外されたと判断して、ステップＳ７０２において、電源接続検出部１１２により電源選択スイッチ（ＳＷ２０７）を端子Ｂから端子Ａに切り替える。即ち、バッテリー駆動に切り替える。
【００３３】
次にステップＳ７０３、７０４において、システムコントローラ１０１は、上記ステップＳ６０３、Ｓ６０４と同様にバックアップ履歴情報１０７を確認する（本発明でいう履歴情報確認手段の一処理例に対応する）。そして確認した結果、バックアップ済みの画像ファイルがない場合は充電の終了をする。またバックアップ済みの画像ファイルがある場合はステップＳ７０５においてバックアップ済みの画像ファイルがあることをユーザに通知する。
【００３４】
ここでユーザに対するバックアップ済みの画像ファイル（データ）があることの通知方法（即ち、上記ステップＳ６０６、Ｓ７０５における具体的態様）について説明する。
【００３５】
カメラ１００は音声を出力するための音声出力部１１４を有しており、これによりブザーや警告音を鳴らすことでユーザに注意を促すようにすることができる。これの他にカメラ１００の内部記憶媒体に予め記憶されている音声案内で、例えば「バックアップ済みのデータがあります。」といったアナウンスをすることによりユーザにバックアップ済みのデータがあることを通知するようにしてもよい。
【００３６】
またカメラ１００は表示部１０８を有しており、表示部１０８へメッセージを一時的に表示したり、カメラ１００の内部状態を知らせるための不図示の表示部（発光部）を点滅させたりすることで、ユーザに注意を促すこともできる。
【００３７】
また表示部１０８に、図８に示すようなユーザインタフェース８００を起動し、バックアップ済みのデータがあることを通知するテキストのメッセージ８０１を表示すると同時に、バックアップ済みの画像を消去するためのボタン等を表示するようにしても良い。
【００３８】
図８において、一括消去ボタン８０２をユーザ操作部１１３にて選択した場合は、転送済みの画像を一括消去することができる。選択消去ボタン８０３を選択した場合は、バックアップ済みの画像をユーザが選択的に消去することができる。またボタン８０４を選択した場合は、現在は消去を行わず、後で消去を行うようにすることができる。
【００３９】
また本図に参照されるように、上記それぞれのボタン操作を行う場合に操作後（消去後）の記憶媒体１０５の記録可能時間の目安を表示することで、ユーザに対して、消去の判断材料を提供することができる。なお、ここでは記録可能時間を表示するようにしているが、具体的な記憶容量を表示するようにしても構わない。
【００４０】
また選択消去ボタン８０３を選択した場合は、図９に示すような画像を表示するようにする。図９においては、転送済みの画像９０１〜９０６を一覧表示し、チェックボックス等で構成された画像選択部９０８と、転送先、転送日等の情報９０７を選択画像に対して表示するようにしている。さらに、ユーザが画像を選択するためのカーソル９０９を表示するようにしている。そして、ユーザが消去選択を行った場合は、チェックボックスで構成された画像選択部９０８内に、「レ点」等のマークを表示し、消去許可とする。このように表示部１０８と、ユーザ操作部１１３の両機能を備えるタッチパネルを採用することにより、ユーザはより直感的に操作を行うことが可能となる。なお、ここでなされた操作は、バックアップ履歴情報１０７において記録されることになる。
【００４１】
なお、以上で説明したバックアップ済みのデータが存在することを通知する機能は、ユーザが任意で解除できるようにすることも可能である。
【００４２】
以上、本実施の形態に係るカメラ１００では、ユーザは、撮影のためにカメラ１００に電源を投入する以前のタイミングかつカメラ１００を外出先に持ち出す以前のタイミングで、カメラ１００にバックアップ済みのデータが存在していることを知ることができる。
そして、バックアップ済みのデータの存在を知り、ユーザがデータを消去することにより、撮影中に記憶媒体１０５の空き領域が無くなり、撮影を継続できないといった事態を回避することができる。また記憶媒体の空き容量の確保のために記録された画像を消去せざるを得ない事態を回避することができ、外出先で不用にバッテリーを消耗させてしまったり、記録しておきたい画像を消去しなければならなかったりといった事態を防ぐことができる。
特に、家庭内で使用したり、充電したりするような状況では、ＡＣ電源にて電源を供給し、外出時にはＡＣ電源から切断してバッテリー１１０から電源を供給することが通常である。このような事情を鑑みると、本実施の形態で説明したようなカメラ１００は、バックアップ済みの画像データを消去するタイミングを、問題発生前に適切にユーザへ与えるものである。
【００４３】
（第２の実施の形態）
次に本発明の第２の実施の形態を説明する。本実施の形態では、外部機器１１６との接続が解除されたタイミングでバックアップ済みのデータがあることをユーザに通知するカメラ１００の処理を説明する。なお、本実施の形態に係るカメラの構成は第１の実施の形態で説明したものと同様であるため、詳細な説明は省略する。
【００４４】
図１０は外部機器接続検出部１１８の詳細を説明するための図である。外部機器接続インタフェース１１５は、外部機器接続部（Ｔ１１０１）を介して外部機器接続検出部１１８と接続する。また外部機器１１６はクレイドル３００を介して外部機器接続部（Ｔ１１０１）に接続し、これらの接続には通信ケーブル１１７が用いられる。
【００４５】
外部機器接続検出部１１８は、上記各部を接続する通信バスの供給電圧状態を監視している。外部機器１１６が接続されている場合にはポートＤ（Ｔ１１０２）の電圧状態がＨｉｇｈとなり、接続さていない場合はＬｏｗとなるので、それを検出することにより、外部機器接続検出部１１８は外部機器１１６の接続状態を判断する。
【００４６】
なお、ここでは外部機器接続検知を通信バスの供給電圧によって判断しているが、外部機器接続部（Ｔ１１０１）に機械的なスイッチを設けてスイッチの状態によって外部機器の接続を検出する方法であっても良い。
【００４７】
図１１は、第２の実施の形態に係るカメラ１００において外部機器１１６との接続が解除されたタイミングでバックアップ済みのデータがあることをユーザに通知する処理シーケンスを説明するフローチャートである。
【００４８】
まずステップＳ１１０１において、システムコントローラ１０１は外部機器接続検出部１１８により、外部機器１１６の接続状態（ポートＤ（Ｔ１１０２））を確認する。
接続されていれば（ポートＤ（Ｔ１１０２）がＨｉｇｈ）、外部機器１１６の接続状態を監視し続ける。接続されていなければ（ポートＤ（Ｔ１１０２）がＬｏｗ）ステップＳ１１０２においてシステムコントローラ１０１は、外部機器１１６の接続が解除されたと判断する。そしてバックアップ履歴情報１０７の更新を確認する（本発明でいう履歴情報確認手段の一処理例に対応する）。ここでは、バックアップ履歴情報１０７を確認し、外部へ転送済みの画像ファイルがあるか否か、即ちバックアップ済みの画像ファイルがあるか否かを確認するものとする。
【００４９】
次にステップＳ１１０３において、システムコントローラ１０１は、確認した結果、バックアップ済みの画像ファイルがない場合は処理を終了する。バックアップ済みの画像ファイルがある場合はステップＳ１１０４に進み、システムコントローラ１０１はバックアップ済みの画像ファイルがあることをユーザに通知する。
なお、バックアップ済みの画像ファイルがある場合の通知方法は第１の実施の形態と同様であるため省略する。
【００５０】
以上、本発明の第２の実施の形態に係るカメラ１００では、ユーザは、撮影のためにカメラ１００に電源を投入する以前のタイミングでカメラ１００内の記憶媒体１０５にバックアップ済みの画像が存在していることを知ることができる。
そして、バックアップ済みのデータの存在を知り、ユーザがデータを消去することにより、撮影中に記憶媒体１０５の空き領域が無くなり、撮影を継続できないといった事態を回避することができる。また記憶媒体の空き容量の確保のために記録された画像を消去せざるを得ない事態を回避することができ、外出先で不用にバッテリーを消耗させてしまったり、記録しておきたい画像を消去しなければならなかったりといった事態を防ぐことができる。
特に、カメラ１００においてはバックアップのために外部機器１１６と接続するが、画像のデータ量が膨大な場合等は、バックアップに時間がかかる。そのため，例えば、バックアップ中にユーザはカメラ１００を放置し、バックアップをしていたことを忘れてしまう可能性もある。このような状況を鑑みると、外部機器１１６との接続を解除したときにバックアップ済みのデータがあることを通知すれば、ユーザにバックアップしていたことを気づかすことができ、それに伴い消去を促すことができる。つまり本実施の形態で説明したようなカメラ１００は、バックアップ済みの画像データを消去するタイミングを、問題発生前に適切にユーザへ与えるものである。
【００５１】
なお、以上の実施の形態では、カメラ１００において記録しているバックアップ済みの画像データを消去することを促し、外出先で撮影ができなくなる事態等を軽減する例について説明した。しかし、本発明は、デジタルカメラ等の撮像装置に適用されるものとして限定されるものではない。例えば、外出先に持ち出すような携帯機器において、該機器の動作が記憶媒体の容量、電源状態により制限されてしまうようなものに本発明は好適に適用可能である。具体的な例としては、携帯電話やカメラ機能付きＰＤＡ等が挙げられる。また、以上の第１及び第２の実施の形態で説明した本発明の主眼となる機能を複数併せ持った情報記録装置を実施することも当然可能である。
【００５２】
なお、本発明を実現するために、上述した実施形態の機能を実現するソフトウェアのプログラムコード（コンピュータプログラム）を記録した記憶媒体を用いても良い。この場合には記憶媒体をシステム或いは装置に供給し、そのシステム或いは装置のコンピュータ（又はＣＰＵやＭＰＵ）が記憶媒体に格納されたプログラムコードを読み出し実行することによって本発明の目的が達成される。
【００５３】
この場合、記憶媒体から読み出されたプログラムコード自体が上述した実施形態の機能を実現することになり、プログラムコード自体及びそのプログラムコードを記憶した記憶媒体は本発明を構成することになる。
【００５４】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５５】
また、そのプログラムコードの指示に基づき、コンピュータ上で稼動しているＯＳ（基本システム或いはオペレーティングシステム）等が実際の処理の一部又は全部を行う場合も含まれることは言うまでもない。
【００５６】
さらに、記憶媒体から読み出されたプログラムコードが、コンピュータに挿入された機能拡張ボードやコンピュータに接続された機能拡張ユニットに備わるメモリに書き込まれてもよい。この場合には、書き込まれたプログラムコードの指示に基づき、その機能拡張ボードや機能拡張ユニットに備わるＣＰＵ等が実際の処理の一部又は全部を行ってもよい。
【図面の簡単な説明】
【００５７】
【図１】本発明の実施の形態に係るデジタルカメラのシステム構成を示す図である。
【図２】本発明の実施の形態に係るデジタルカメラの電源回路を説明する図である。
【図３】本発明の実施の形態に係るデジタルカメラの電源回路におけるポートの状態と電源選択スイッチの端子との関係を示した図である。
【図４】本発明の実施の形態に係るデジタルカメラの充電完了後の電源回路におけるポートの状態と電源選択スイッチの端子との関係を示した図である。
【図５】本発明の実施の形態に係るデジタルカメラが記憶媒体に記録するバックアップ履歴情報のフォーマットを示す図である。
【図６】本発明の実施の形態に係るデジタルカメラが充電中にＡＣアダプタが抜かれた場合に、バックアップ済み画像有りの通知を行う際の処理シーケンスを説明するフローチャートである。
【図７】本発明の実施の形態に係るデジタルカメラが充電後にＡＣアダプタが抜かれた場合に、バックアップ済み画像有りの通知を行う際の処理シーケンスを説明するフローチャートである。
【図８】本発明の実施の形態に係るデジタルカメラがバックアップ済みのデータがある場合に表示する表示画面の例を示す図である。
【図９】本発明の実施の形態に係るデジタルカメラがバックアップ済みのデータがある場合に表示する表示画面において、選択消去を行う場合に表示する表示画面の例を示す図である。
【図１０】本発明の実施の形態に係るデジタルカメラの外部機器接続検出部を説明する図である。
【図１１】本発明の実施の形態に係るデジタルカメラが外部機器の接続が解除された場合に、バックアップ済み画像有りの通知を行う際の処理シーケンスをフローチャートである。
【符号の説明】
【００５８】
１００  カメラ
１０１  システムコントローラ
１０２  撮像部
１０３  画像音声処理部
１０５  記憶媒体
１０７  バックアップ履歴情報
１０８  表示部
１０９  電源回路
１１０  バッテリー
１１１  ＡＣアダプタ
１１２  電源接続検出部
１１３  ユーザ操作部
１１４  音声出力部
１１５  外部機器接続インタフェース
１１６  外部機器
１１７  通信ケーブル
１１８  外部機器接続検出部
２０１  電源ＩＣ
２０２  充電回路
３００  クレイドル
【図１】
0005043607.tif 000002
【図２】
0005043607.tif 000003
【図３】
0005043607.tif 000004
【図４】
0005043607.tif 000005
【図５】
0005043607.tif 000006
【図６】
0005043607.tif 000007
【図７】
0005043607.tif 000008
【図８】
0005043607.tif 000009
【図９】
0005043607.tif 000010
【図１０】
0005043607.tif 000011
【図１１】
0005043607.tif 000012